(57)【要約】【課題】  低コストにて映像、音声等のリアルタイム性を要求されるデータを高品質に伝送でき、マルチベアラに対応したデータ伝送管理装置等を提供する。【解決手段】  端末間のデータ伝送に先立ち、上記各端末から当該端末のノードの識別子と当該端末の保有するネットワークインタフェースに対応する１個以上のアドレスとを受け付けてデータテーブルに登録するアドレス登録手段と、上記端末間のデータ伝送のためのセッションの確立に際し、上記端末からアドレス情報を含むセッションに関する情報とともに接続要求を受け付け、当該接続要求およびセッションに関する情報を宛先の端末に転送する接続要求転送手段と、上記宛先の端末からアドレス情報を含むセッションに関する情報とともに接続許可を受け付け、当該接続許可およびセッションに関する情報を上記接続要求を送信した端末に転送する接続許可転送手段とを備える。【選択図】  図１
2006020158.tif 000002
【特許請求の範囲】
【請求項１】
端末間のデータ伝送に先立ち、上記各端末から当該端末のノードの識別子と当該端末の保有するネットワークインタフェースに対応する１個以上のアドレスとを受け付けてデータテーブルに登録するアドレス登録手段と、
上記端末間のデータ伝送のためのセッションの確立に際し、上記端末からアドレス情報を含むセッションに関する情報とともに接続要求を受け付け、当該接続要求およびセッションに関する情報を宛先の端末に転送する接続要求転送手段と、
上記宛先の端末からアドレス情報を含むセッションに関する情報とともに接続許可を受け付け、当該接続許可およびセッションに関する情報を上記接続要求を送信した端末に転送する接続許可転送手段とを備えたことを特徴とするデータ伝送管理装置。
【請求項２】
上記アドレス登録手段が上記端末からアドレスの再登録を受け付けた際に再登録情報を通信の相手方の端末に通知する再登録情報通知手段を備えたことを特徴とする請求項１に記載のデータ伝送管理装置。
【請求項３】
上記データテーブルは上記端末のノードの識別子であるＵＲＩと上記ネットワークインタフェースに対応する１個以上のＩＰアドレスとを対応付けて登録することを特徴とする請求項１または２のいずれか一項に記載のデータ伝送管理装置。
【請求項４】
上記データテーブルはアドレス毎にベアラの特性および使用料金を登録可能にしたことを特徴とする請求項１乃至３のいずれか一項に記載のデータ伝送管理装置。
【請求項５】
上記セッションに関する情報はＳＤＰとして記述されてなることを特徴とする請求項１乃至４のいずれか一項に記載のデータ伝送管理装置。
【請求項６】
１個以上のネットワークインタフェースを有した第１および第２の端末と、
上記第１および第２の端末間のデータ伝送に先立ち、上記各端末から当該端末のノードの識別子と上記ネットワークインタフェースに対応する１個以上のアドレスとを受け付けてデータテーブルに登録し、上記第１および第２の端末間のデータ伝送のためのセッションの確立に際し、上記第１の端末からアドレス情報を含むセッションに関する情報とともに接続要求を受け付け、当該接続要求およびセッションに関する情報を第２の端末に転送し、上記第２の端末からアドレス情報を含むセッションに関する情報とともに接続許可を受け付け、当該接続許可およびセッションに関する情報を上記第１の端末に転送するデータ伝送管理装置とを備えたことを特徴とするデータ伝送システム。
【請求項７】
上記第１および第２の端末は、データの送受信に使用される上記ネットワークインタフェースの送受信可能なデータサイズに送信データを分離するデータ分離手段と、受信されたデータを結合するデータ結合手段とを備えたことを特徴とする請求項６に記載のデータ伝送システム。
【請求項８】
端末間のデータ伝送に先立ち、上記各端末から当該端末のノードの識別子と当該端末の保有するネットワークインタフェースに対応する１個以上のアドレスとを受け付けてデータテーブルに登録する工程と、
上記端末間のデータ伝送のためのセッションの確立に際し、上記端末からアドレス情報を含むセッションに関する情報とともに接続要求を受け付け、当該接続要求およびセッションに関する情報を宛先の端末に転送する工程と、
上記宛先の端末からアドレス情報を含むセッションに関する情報とともに接続許可を受け付け、当該接続許可およびセッションに関する情報を上記接続要求を送信した端末に転送する工程と、
上記端末間で直接にデータ伝送を行う工程とを備えたことを特徴とするデータ伝送方法。
【発明の詳細な説明】
【技術分野】
【０００１】
本発明は映像、音声等のリアルタイム性を要求されるデータを対象としたデータ伝送管理装置、データ伝送システムおよびデータ伝送方法に関する。
【背景技術】
【０００２】
例えば、テレビ放送、ラジオ放送等に用いられるリアルタイム性の要求される映像、音声等のデータを、スタジオ外の取材現場とスタジオとの間で放送品質に耐え得る高い品質で伝送するような状況にあっては、十分な伝送帯域を有した通信回線が必要となる。
【０００３】
従来、機材の携帯性や利用コストから、無線交換回線を利用したデータ伝送が行われており、取材現場側とスタジオ側との間に１対１で通信する回線交換ベースのリンクを複数張り、マルチリンクＰＰＰ（Ｐｏｉｎｔ  ｔｏ  Ｐｏｉｎｔ  Ｐｒｏｔｏｃｏｌ）等を用いて制御するようにしていた。
【０００４】
一方、ＳＩＰ（Ｓｅｓｓｉｏｎ  Ｉｎｉｔｉａｔｉｏｎ  Ｐｒｏｔｏｃｏｌ）と呼ばれる技術は、ＳＩＰサーバを介して通信相手のＩＰ（Ｉｎｔｅｒｎｅｔ  Ｐｒｏｔｏｃｏｌ）アドレスを取得し、端末（ノード）間で直接にデータ伝送を行うものであり、サーバを経由せずに直接にデータ伝送が行われるものであることから、リアルタイム性の要求される映像、音声等のデータ伝送に適している（例えば、特許文献１を参照。）。
【特許文献１】特開２００３−３０９６６４号公報
【発明の開示】
【発明が解決しようとする課題】
【０００５】
上述した回線交換ベースのマルチリンクによるデータ伝送にあっては、携帯電話事業者等の提供する無線回線を使用するため、利用コストが比較的安価であるとともに、市販の通信カード等を使用することで機材を携帯性のよいコンパクトなものにできるという利点があるが、通信を行う双方の間に１対１で通信する回線交換ベースのリンクを複数張る必要があることから、回線設備が双方に複数必要となり、比較的安価であるとはいえ複数回線分のコストがかかるという問題があった。
【０００６】
また、通信を行う双方に必要となる設備は、使用する通信回線（ベアラ）に対応したものとする必要があり、通信速度や通信方式の異なる通信回線あるいは異なる携帯電話事業者等の提供する通信回線等をその都度に自由に組み合わせる（マルチベアラ）といった使い方はできないものであった。そのため、伝送するデータのタイプに応じて通信回線を変更したり、電波状況の悪い地域においては他の携帯電話事業者等の提供する通信回線に一時的に変更したりといった自由度の高い使い方ができないものであった。
【０００７】
一方、前述したＳＩＰはインターネット上で電話を実現するために開発された技術であることから、基本的に１対１の通信しか考慮されておらず、通信を行う双方がブロードバンド回線を利用できる環境にある場合はリアルタイムに高い品質のデータ伝送が行えるものであるが、少なくとも一方がスタジオ外の取材現場等のようなブロードバンド回線を利用し得ない環境にある場合には、必要な帯域を確保することができず採用できないものであった。
【０００８】
本発明は上記の従来の問題点に鑑み提案されたものであり、その目的とするところは、低コストにて映像、音声等のリアルタイム性を要求されるデータを高品質に伝送することができるとともに、マルチベアラに対応したデータ伝送管理装置、データ伝送システムおよびデータ伝送方法を提供することにある。
【課題を解決するための手段】
【０００９】
上記の課題を解決するため、本発明は、端末間のデータ伝送に先立ち、上記各端末から当該端末のノードの識別子と当該端末の保有するネットワークインタフェースに対応する１個以上のアドレスとを受け付けてデータテーブルに登録するアドレス登録手段と、上記端末間のデータ伝送のためのセッションの確立に際し、上記端末からアドレス情報を含むセッションに関する情報とともに接続要求を受け付け、当該接続要求およびセッションに関する情報を宛先の端末に転送する接続要求転送手段と、上記宛先の端末からアドレス情報を含むセッションに関する情報とともに接続許可を受け付け、当該接続許可およびセッションに関する情報を上記接続要求を送信した端末に転送する接続許可転送手段とを備えるデータ伝送管理装置として構成している。
【００１０】
また、１個以上のネットワークインタフェースを有した第１および第２の端末と、上記第１および第２の端末間のデータ伝送に先立ち、上記各端末から当該端末のノードの識別子と上記ネットワークインタフェースに対応する１個以上のアドレスとを受け付けてデータテーブルに登録し、上記第１および第２の端末間のデータ伝送のためのセッションの確立に際し、上記第１の端末からアドレス情報を含むセッションに関する情報とともに接続要求を受け付け、当該接続要求およびセッションに関する情報を第２の端末に転送し、上記第２の端末からアドレス情報を含むセッションに関する情報とともに接続許可を受け付け、当該接続許可およびセッションに関する情報を上記第１の端末に転送するデータ伝送管理装置とを備えるデータ伝送システムとして構成することができる。
【００１１】
また、端末間のデータ伝送に先立ち、上記各端末から当該端末のノードの識別子と当該端末の保有するネットワークインタフェースに対応する１個以上のアドレスとを受け付けてデータテーブルに登録する工程と、上記端末間のデータ伝送のためのセッションの確立に際し、上記端末からアドレス情報を含むセッションに関する情報とともに接続要求を受け付け、当該接続要求およびセッションに関する情報を宛先の端末に転送する工程と、上記宛先の端末からアドレス情報を含むセッションに関する情報とともに接続許可を受け付け、当該接続許可およびセッションに関する情報を上記接続要求を送信した端末に転送する工程と、上記端末間で直接にデータ伝送を行う工程とを備えるデータ伝送方法として構成することができる。
【発明の効果】
【００１２】
本発明にあっては、低コストにて映像、音声等のリアルタイム性を要求されるデータを高品質に伝送することができるとともに、マルチベアラに対応したデータ伝送管理装置、データ伝送システムおよびデータ伝送方法を提供することができる。
【発明を実施するための最良の形態】
【００１３】
以下、本発明の好適な実施形態につき図面を参照して説明する。
【００１４】
図１は本発明の一実施形態にかかるデータ伝送システムの構成図である。
【００１５】
図１において、相互に通信を行う末端のノードである端末１と端末４はインターネット等のネットワーク２に接続可能となっている。なお、ここでは端末１はスタジオ外の取材現場等のモバイル環境にあるものと想定しており、ネットワーク２との接続は複数の無線パケット回線により行うようになっている。また、端末４はスタジオ内等の固定環境にあるものと想定しており、ネットワーク２との接続は単一のブロードバンド回線により行うようになっている。
【００１６】
一方、ネットワーク２上にはノード間のネゴシエーションを行うデータ伝送管理装置としてのＳＩＰサーバ３が設けられており、ＳＩＰサーバ３内には各ノードの識別子であるＵＲＩ（Ｕｎｉｆｏｒｍ  Ｒｅｓｏｕｒｃｅ  Ｉｄｅｎｔｉｆｉｅｒ ）とＩＰアドレスとを対応付けて管理するデータテーブル３１と、端末１、４からの要求に応じてデータテーブル３１へアドレス登録（再登録を含む）を行うアドレス登録部３２と、アドレス再登録が行われた場合に相手方に再登録情報の通知を行う再登録情報通知部３３と、端末１もしくは端末４からの接続要求を転送する接続要求転送部３４と、端末１もしくは端末４からの接続許可を転送する接続許可転送部３５とが設けられている。
【００１７】
ここで、本発明の一特徴点として、データテーブル３１には各ノードのＩＰアドレスとして複数のＩＰアドレスが登録可能となっており、図ではノードＡ（端末１）のＵＲＩ「Ａ＠ａ」に対してＩＰアドレス「Ａｄｄ１，Ａｄｄ２，Ａｄｄ３」が登録されている状態を示している。図２（ａ）はデータテーブル３１のより具体的な構成例を示したものであり、ＵＲＩ、ＩＰアドレスの他に、通信速度等を示すベアラや料金（使用料金）を含めることができ、回線の選択に利用することができる。図２（ｂ）は比較のために示した従来のデータテーブルの例であり、ＵＲＩとＩＰアドレスの対応関係のみを有している。
【００１８】
図１に戻り、端末１は、映像、音声等を収録するデータ収録アプリ１１と、収録した映像、音声等をエンコードするエンコーダ１２と、エンコードしたデータを通信回線の送信可能サイズ等を考慮して分離するデータ分離部１３と、複数の通信回線（ベアラ）にそれぞれ対応したネットワークインタフェース１４１〜１４３を有し、ネットワーク２を介して端末４との間でデータの送受信を行うネットワークインタフェース１４と、受信したデータを結合するデータ結合部１５と、結合したデータのデコードを行うデコーダ１６と、デコードしたデータから映像、音声等を再生するデータ再生アプリ１７とを備えている。
【００１９】
端末４は、映像、音声等を収録するデータ収録アプリ４１と、収録した映像、音声等をエンコードするエンコーダ４２と、エンコードしたデータを端末１側の通信回線の受信可能サイズ等を考慮して分離するデータ分離部４３と、ブロードバンド回線に対応したネットワークインタフェース４４１を有し、ネットワーク２を介して端末１との間でデータの送受信を行うネットワークインタフェース４４と、受信したデータを結合するデータ結合部４５と、結合したデータのデコードを行うデコーダ４６と、デコードしたデータから映像、音声等を再生するデータ再生アプリ４７とを備えている。
【００２０】
動作の概略としては、通信に先立って双方のノードである端末１、４からＳＩＰサーバ３に対して自己のＩＰアドレスの登録を行い（ステップＳ１、Ｓ２）、その後、端末１からＳＩＰサーバ３に対して自己のＩＰアドレスを伴って端末４への接続要求を送信すると（ステップＳ３）、ＳＩＰサーバ３はデータテーブル３１を検索して端末４のＩＰアドレスを取得し、そのＩＰアドレスに宛てて端末１からの接続要求（ＩＰアドレスを含む）を転送する（ステップＳ４）。これに端末４側が応じると、端末４はＳＩＰサーバ３に対して自己のＩＰアドレスを伴って端末１への接続許可を送信し（ステップＳ５）、ＳＩＰサーバ３はその接続許可（ＩＰアドレスを含む）を端末１に転送する（ステップＳ６）。これにより、双方のノードである端末１、４は相手方のＩＰアドレスを知ることになり、その後はＳＩＰサーバ３を介さずに直接にデータ通信を行う。
【００２１】
以下、上記の実施形態の動作につきより詳細に説明する。
【００２２】
図３はアドレス登録の動作を示す図であり、（ａ）はアドレス登録における主要な部分の構成を示し、（ｂ）は正常登録時のシーケンス図を示し、（ｃ）は回線切断時の再登録におけるシーケンス図を示している。なお、（ａ）においては、端末１内のデータ収録アプリ１１等をクライアントアプリ１８として簡略に示し、端末４内のデータ収録アプリ４１等をクライアントアプリ４８として簡略に示している。また、ネットワーク２（図１）上の無線パケット回線のアクセスポイントをアクセスポイント２１、２２として示している。
【００２３】
先ず、（ｂ）に示す正常登録時にあっては、端末１のクライアントアプリ１８からネットワークインタフェース１４に対してネットワーク接続要求があると（ステップＳ１１）、ネットワークインタフェース１４は個々のネットワークインタフェース１４１〜１４３からアクセスポイント２１にＰＰＰによってネットワーク接続を行い（ステップＳ１２）、アクセスポイント２１からそれぞれＩＰアドレスを取得する（ステップＳ１３）。そして、クライアントアプリ１８は取得した複数のＩＰアドレスにつき、ＳＩＰサーバ３に対してアドレス登録を行う（ステップＳ１４）。ＳＩＰサーバ３内ではアドレス登録部３２がデータテーブル３１に対し、端末１のＵＲＩと対応付けて複数のＩＰアドレスの登録を行う。
【００２４】
同様に、端末４のクライアントアプリ４８からネットワークインタフェース４４に対してネットワーク接続要求があると（ステップＳ１５）、ネットワークインタフェース４４はネットワークインタフェース４４１からアクセスポイント２２にＰＰＰによってネットワーク接続を行い（ステップＳ１６）、アクセスポイント２２からＩＰアドレスを取得する（ステップＳ１７）。そして、クライアントアプリ４８は取得したＩＰアドレスにつき、ＳＩＰサーバ３に対してアドレス登録を行う（ステップＳ１８）。ＳＩＰサーバ３内ではアドレス登録部３２がデータテーブル３１に対し、端末４のＵＲＩと対応付けてＩＰアドレスの登録を行う。
【００２５】
次に、（ｃ）に示す切断時の再登録としては、端末１のネットワークインタフェース１４のいずれかのネットワークインタフェース１４１〜１４３の通信が切断すると（ステップＳ２１）、ネットワークインタフェース１４はクライアントアプリ１８に対してネットワークが切断された旨を通知する（ステップＳ２２）。これを受け、クライアントアプリ１８はＳＩＰサーバ３に対して切断された通信回線に対応するＩＰアドレスを除いた状態の再登録を行う（ステップＳ２３）。ＳＩＰサーバ３内ではアドレス登録部３２がデータテーブル３１に対し、端末１のＵＲＩと対応付けてＩＰアドレスの再登録を行う。そして、ＳＩＰサーバ３の再登録情報通知部３３は、再登録されたアドレス情報を端末４のクライアントアプリ４８に通知する（ステップＳ２４）。
【００２６】
その後、端末１のクライアントアプリ１８はネットワークインタフェース１４に対してネットワーク接続要求を行い（ステップＳ２５）、ネットワークインタフェース１４は切断のあったネットワークインタフェース（１４１〜１４３のうちのいずれか）からアクセスポイント２１にＰＰＰによってネットワーク接続を行い（ステップＳ２６）、アクセスポイント２１からＩＰアドレスを取得する（ステップＳ２７）。そして、クライアントアプリ１８は取得したＩＰアドレスを含めた新たなアドレスにつき、ＳＩＰサーバ３に対してＩＰアドレスの再登録を行い（ステップＳ２８）、ＳＩＰサーバ３内ではアドレス登録部３２がデータテーブル３１に対し、端末１のＵＲＩと対応付けてＩＰアドレスの再登録を行う。そして、ＳＩＰサーバ３の再登録情報通知部３３は再登録されたアドレス情報を端末４のクライアントアプリ４８に通知する（ステップＳ２９）。
【００２７】
以上の動作により、正常時および切断時ともに、最新のアドレス情報がＳＩＰサーバ３に登録されることになる。
【００２８】
次に、図４はセッション確立の動作を示す図であり、（ａ）はセッション確立における主要な部分の構成を示し、（ｂ）はセッション確立時のシーケンス図を示している。
【００２９】
先ず、端末１のクライアントアプリ１８からＳＩＰサーバ３に対し、端末４への接続要求として「ＩＮＶＩＴＥ  ｔｏ：Ｂ＠ｂ」を送信する（ステップＳ３１）。この際、端末１側が要求するセッションに関する情報（ＩＰアドレスを含む）を記述したＳＤＰ（Ｓｅｓｓｉｏｎ  Ｄｅｓｃｒｉｐｔｉｏｎ  Ｐｒｏｔｏｃｏｌ）を併せて送信する。ＳＤＰはＳＩＰメッセージのボディ部にテキストベースで埋め込まれる情報であり、図５に構成例を示すように、セッション記述とメディア記述と時間記述とを含んでいる。セッション記述は、ＳＤＰのバージョン情報と、ユーザ名、セッション識別子、バージョン情報、ネットワーク識別子、アドレス種別を含むセッションの開始者とセッションの識別情報とを含んでいる。メディア記述は、ネットワーク識別子、アドレス種別、アドレス（ＩＰアドレス）を含むコネクション情報と、メディア種別、ポート番号、トランスポートプロトコル、メディアフォーマットを含むメディア種別とトランスポートアドレスと、メディア属性とを含んでいる。時間記述は、セッションの開始・終了時刻を含んでいる。
【００３０】
図４に戻り、端末１のクライアントアプリ１８から接続要求を受けたＳＩＰサーバ３の接続要求転送部３４は、データテーブル３１（図１）の登録情報から転送先を判断し（ステップＳ３２）、端末４のクライアントアプリ４８に対して接続要求とＳＤＰを転送する（ステップＳ３３）。
【００３１】
端末４のクライアントアプリ４８がこれに応じると、端末１に対する接続許可「ＯＫ  ｔｏ：Ａ＠ａ」をＳＩＰサーバ３に送信する（ステップＳ３４）。この際、端末４側が要求するセッションに関する情報を記述したＳＤＰを併せて送信する。そして、ＳＩＰサーバ３の接続許可転送部３５はその接続許可とＳＤＰを端末１のクライアントアプリ１８に転送する（ステップＳ３５）。
【００３２】
以上の動作により、端末１、４間でＳＤＰが交換され、このＳＤＰで記述された条件に従って端末１、４間でセッションを確立することとなり、データ通信が可能になる。なお、上記のセッションの確立に際し、図２（ａ）に示したベアラ、料金等の情報をＳＩＰサーバ３から端末１、４に供給し、伝送するデータのタイプや料金等に応じて使用するベアラを取捨選択するようにすることもできる。
【００３３】
次に、図６はデータ伝送の動作を示す図であり、（ａ）はデータ伝送における主要な部分の構成を示し、（ｂ）はデータ伝送のシーケンス図を示している。
【００３４】
先ず、端末１のデータ収録アプリ１１が映像、音声等のデータを収録しデータを生成してエンコーダ１２に与えると（ステップＳ４１）、エンコーダ１２はデータのエンコードを行い、データ分離部１３に与える（ステップＳ４２）。
【００３５】
データ分離部１３はセッション確立時のＳＤＰの記述に従い、ネットワークインタフェース１４内の各ネットワークインタフェース１４１〜１４３の送信可能サイズを認識した上でデータ分離を行い、パケット番号を付与（より細分化する場合は更にサブナンバーを付与）してネットワークインタフェース１４に渡す（ステップＳ４３）。そして、ネットワークインタフェース１４内の各ネットワークインタフェース１４１〜１４３は送信先である端末４のＩＰアドレス宛にネットワーク２を介してデータ伝送を行う（ステップＳ４４）。
【００３６】
端末４のネットワークインタフェース４４は、自己のＩＰアドレス宛のデータを受信すると、受信したデータをデータ結合部４５に渡す（ステップＳ４５）。データ結合部４５はパケット番号から結合順序を検出してデータ結合を行い、デコーダ４６に結合したデータを渡す（ステップＳ４６）。そして、デコーダ４６はデータのデコードを行い（ステップＳ４７）、データ再生アプリ４７はデコードした結果から映像、音声等の再生を行う（ステップＳ４８）。
【００３７】
次に、端末４側からデータ伝送を行う場合、端末４のデータ収録アプリ４１が映像、音声等のデータを収録しデータを生成してエンコーダ４２に与えると（ステップＳ４９）、エンコーダ４２はデータのエンコードを行い、データ分離部４３に与える（ステップＳ５０）。
【００３８】
データ分離部４３はセッション確立時のＳＤＰの記述に従い、受信側である端末１のネットワークインタフェース１４内の各ネットワークインタフェース１４１〜１４３の受信可能サイズを認識した上でデータ分離を行い、パケット番号を付与（より細分化する場合は更にサブナンバーを付与）し、受信側の各ネットワークインタフェース１４１〜１４３に対応するＩＰアドレスを付与し、ネットワークインタフェース４４に渡す（ステップＳ５１）。そして、ネットワークインタフェース４４内のネットワークインタフェース４４１は送信先である端末１に向けてネットワーク２を介してデータ伝送を行う（ステップＳ５２）。
【００３９】
端末１のネットワークインタフェース１４内の各ネットワークインタフェース１４１〜１４３は個々に自己のＩＰアドレス宛にデータを受信すると、データをデータ結合部１５に渡す（ステップＳ５３）。データ結合部１５はパケット番号から結合順序を検出してデータ結合を行い、デコーダ１６に結合したデータを渡す（ステップＳ５４）。そして、デコーダ１６はデコードを行い（ステップＳ５５）、データ再生アプリ１７はデコードした結果から映像、音声等の再生を行う（ステップＳ５６）。
【００４０】
以上の動作により、モバイル環境等のブロードバンド回線が利用できない端末１側では複数の無線パケット回線を用いることで必要な帯域を確保することができ、映像、音声等のデータを高品質に伝送することができる。なお、上記の実施形態では、端末１側で３回線、端末４側で１回線の３：１の場合について説明したが、利用される環境に応じてｎ：ｍ（ｎ、ｍは正の整数）の任意の回線を確保して使用することができる。
【００４１】
また、ＳＩＰサーバ３によるネゴシエーションによりＩＰアドレスを取得することで端末１、４間で直接にデータ伝送を行うことができ、映像、音声等のリアルタイム性を要求されるデータを少ない遅延で伝送することができる。
【００４２】
更に、従来のように通信を行う双方の間に１対１で通信する回線交換ベースのリンクを複数張る必要がないことから、必要最小限のコストでシステムを構築・運用することができる。
【００４３】
また、ネットワークカード等として提供される各ネットワークインタフェース１４１〜１４３、４４１を適宜に交換ないしは実装している中から取捨選択することで、通信速度や通信方式の異なる通信回線あるいは異なる携帯電話事業者等の提供する通信回線等をその都度に自由に組み合わせることができ、マルチベアラ対応とすることができる。従って、伝送するデータのタイプに応じて通信回線を変更したり、電波状況の悪い地域においては他の携帯電話事業者等の提供する通信回線に一時的に変更したりといった自由度の高い使い方を実施することができる。
【００４４】
加えて、ＳＩＰ技術をベースにすることで、ＩＭ／Ｐｒｅｓｅｎｃｅ、ＶｏＩＰ、ＴＶｏＩＰ、ＴＶ会議、ファイル共有、アプリケーション共有などが容易に実現可能である。
【００４５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４６】
【図１】本発明の一実施形態にかかるデータ伝送システムの構成図である。
【図２】データテーブルの構成例を示す図である。
【図３】アドレス登録の動作を示す図である。
【図４】セッション確立の動作を示す図である。
【図５】ＳＤＰの構成例を示す図である。
【図６】データ伝送の動作を示す図である。
【符号の説明】
【００４７】
１        端末
１１      データ収録アプリ
１２      エンコーダ
１３      データ分離部
１４      ネットワークインタフェース
１４１    ネットワークインタフェース
１４２    ネットワークインタフェース
１４３    ネットワークインタフェース
１５      データ結合部
１６      デコーダ
１７      データ再生アプリ
１８      クライアントアプリ
２        ネットワーク
２１      アクセスポイント
２２      アクセスポイント
３        ＳＩＰサーバ
３１      データテーブル
４        端末
４１      データ収録アプリ
４２      エンコーダ
４３      データ分離部
４４      ネットワークインタフェース
４４１    ネットワークインタフェース
４５      データ結合部
４６      デコーダ
４７      データ再生アプリ
４８      クライアントアプリ
【図１】
2006020158.tif 000003
【図２】
2006020158.tif 000004
【図３】
2006020158.tif 000005
【図４】
2006020158.tif 000006
【図５】
2006020158.tif 000007
【図６】
2006020158.tif 000008